(57)【特許請求の範囲】
【請求項１】
光ファイバーの接続に使用する光成端箱の内部に配設され、上面を開口するとともに少なくとも一側面に光ファイバーを入出線するための入出線口を形成し、内部に光ファイバー相互を融着した融着部を余長とともに収納する余長収納トレイを多段に収納する余長収納トレイ収納具において、前記余長収納トレイを水平姿勢に多段に収納する収納溝を複数形成し、該収納溝の近傍に形成した余長収納トレイを固定するための固定部に螺子が螺着するタップ孔を穿設し、前記固定部と対向する前記余長収納トレイのトレイ側固定部に前記螺子が挿通する挿通孔を穿設し、前記螺子は先端側と頭部側の両端部にねじ部を形成するとともに円筒部の外径はタップ孔の内径よりも小さく形成し、前記螺子の先端側のねじ部を前記トレイ側固定部の挿通孔と前記固定部のタップ孔に挿通させた際は前記余長収納トレイをスライド自在にし、前記螺子の頭部側のねじ部を前記トレイ側固定部の挿通孔に挿通させて前記固定部のタップ孔に螺着した際は前記余長収納トレイを固定可能にしたことを特徴とする余長収納トレイ収納具。
【発明の詳細な説明】
【０００１】
【産業上の利用分野】
本発明は、光配線盤の内部に収納され、光ファイバーの融着部を余長とともに収納するための余長収納トレイをスライド自在に収納する余長収納トレイ収納具の構造に関する。
【０００２】
【従来の技術】
従来、特開平８−２５４６２０号公報に開示するように、余長収納トレイ（６）は、上面を開口するとともに側面に光ファイバーを入出線するための入出線口（３０）が形成され、内部に光ファイバー（３ａ）の融着部が余長とともに収納されている。余長収納トレイ（６）は、左右両側板（２０）の後側に第一の係合片（３１）が設けられ、光成端箱（１）の背面板（１０）から突出する方向に固設された筒状のアウタガイド（１６）に第一の係合片（３１）が長手方向に摺動自在に支持されている。アウタガイド（１６）は棒状のインナガイド（１７）を摺動可能に嵌挿しており、余長収納トレイ（６）の左右両側板（２０）の前側に設けた第二の係合片（３２）にインナガイド（１７）の先端をねじ（１８）により螺着固定している。これにより余長収納トレイ（６）は前後方向にスライド自在に収納されていた。
【０００３】
【発明が解決しようとする課題】
従来の余長収納トレイ収納具は余長収納トレイを前後方向にスライド自在に収納するための構造が複雑であり、部品点数が多く部品管理が煩雑になり、而も製造コストが高いという欠点があった。
【０００４】
【課題を解決するための手段】
上記従来の余長収納トレイ収納具の問題点に鑑み、本発明の目的は、簡単な構造で余長収納トレイをスライド自在に収納することができ、且つ安価に製造できる余長収納トレイ収納具を提供するもので、その構造は、光ファイバーの接続に使用する光成端箱の内部に配設され、上面を開口するとともに少なくとも一側面に光ファイバーを入出線するための入出線口を形成し、内部に光ファイバーの融着部を余長とともに収納するトレイ本体と、トレイ本体の開口部を施蓋する蓋体とで成る余長収納トレイを多段に収納する余長収納トレイ収納具において、余長収納トレイを水平姿勢に多段に収納する収納溝を複数形成し、収納溝の近傍に形成した余長収納トレイを固定するための固定部に螺子が螺着するタップ孔を穿設し、固定部と対向する余長収納トレイのトレイ側固定部に螺子が挿通する挿通孔を穿設し、螺子は先端側と頭部側の両端部にねじ部を形成するとともに円筒部の外径はタップ孔の内径よりも小さく形成し、螺子の先端側のねじ部をトレイ側固定部の挿通孔と固定部のタップ孔に挿通させた際は余長収納トレイをスライド自在にし、螺子の頭部側のねじ部をトレイ側固定部の挿通孔に挿通させて固定部のタップ孔に螺着した際は余長収納トレイを固定可能にしたことである。
【０００５】
【発明の実施の形態】
余長収納トレイ収納具は背面板の左右両端に垂設した側面板に余長収納トレイを収納するための収納溝を複数形成し、側面板の先端に固定部を形成する。固定部と対向する余長収納トレイの下面にトレイ側固定部を突設し、固定部には螺子が螺着するためのタップ孔を、トレイ側固定部には螺子が挿通するための挿通孔を穿設する。螺子は先端側と頭部側の両端部にねじ部を形成するとともに円筒部の外径はタップ孔の内径よりも小さく形成し、螺子の先端側のねじ部を挿通孔とタップ孔に挿通させた際は余長収納トレイをスライド自在に収納し、固定部にトレイ側固定部を当接させて螺子の頭部側のねじ部をタップ孔に螺着した際は余長収納トレイを固定する。
【０００６】
【実施例】
本発明に係る余長収納トレイ収納具の一実施例を図１〜図５の添付図面に基づいて説明する。
【０００７】
光成端箱１は前面を開口した箱体本体２と、開口部３を施蓋する扉体（図示せず）とで成り、箱体本体２の上面又は下面から光ファイバー（図示せず）が入出線可能になっている。光成端箱１の内部に設置される余長収納トレイ収納具４は、余長収納トレイ５を多段に収納している。
【０００８】
余長収納トレイ収納具４は、光成端箱１の背板６に固定される背面板７の左右両端に前面方向に向けて側面板８を垂設している。側面板８間の寸法は余長収納トレイ５の幅寸法よりも小さく、両方の側面板８は余長収納トレイ５を水平姿勢に載置して収納するための収納溝９が高さ方向に複数形成され、側面板８の先端は互いに内側方向に折曲されて余長収納トレイ５を固定するための固定部１０が形成され、固定部１０には螺子１１が螺着するためのタップ孔１２が穿設されている。
【０００９】
余長収納トレイ５は平型の箱状で、上面を開口するとともに側面に光ファイバーを入出線するための入出線口１３を形成している。入出線口１３から入線した光ファイバーは先端を融着して接続した融着部を弾性材料で形成した融着部ホルダ１４に保持するとともに、融着の際に発生した余長を余長収納トレイ５の内部に丸めて保持している。余長収納トレイ５の上面の開口部は蓋体１５により施蓋している。また、余長収納トレイ５の底面には透孔１６が形成され、蓋体１５のラッチ１７が係合する係合孔１８が形成された蓋受け片１９が余長収納トレイ５の下側から突出されて取付ねじ２０により螺着固定されている。蓋受け片１９は余長収納トレイ収納具４の固定部１０と対向するトレイ側固定部２１が一体に形成され、トレイ側固定部２１は余長収納トレイ５の下方向に突設されている。トレイ側固定部２１は余長収納トレイ収納具４の固定部１０のタップ孔１２と対向する位置に螺子１１が挿通する挿通孔２２を穿設している。
【００１０】
螺子１１は先端側と頭部側の両端部にねじ部２３，２４を形成するとともに円筒部２５の外径はタップ孔１２の内径よりも小さく形成している。螺子１１の先端側のねじ部２３を余長収納トレイ５の挿通孔２２に挿通させ、続いて余長収納トレイ収納具４のタップ孔１２に螺着してねじ部２３がタップ孔１２を貫通すると、螺子１１の円筒部２５が挿通孔２２とタップ孔１２を挿通自在になり、ねじ部２３の外径はタップ孔１２の内径よりも大きいために螺子１１は抜け落ちない。この状態で余長収納トレイ５はスライド自在に収納溝９に収納される。余長収納トレイ５を多段に収納する際に蓋体１５のラッチ１７が上段の余長収納トレイ５のトレイ側固定部２１に干渉しないようにトレイ側固定部２１には切欠２６が形成されている。
【００１１】
余長収納トレイ５のトレイ側固定部２１を余長収納トレイ収納具４の固定部１０に当接させ、螺子１１の頭部側のねじ部２４を固定部１０のタップ孔１２に螺着することにより余長収納トレイ５は固定される。余長収納トレイ５を収納した際に螺子１１の頭部は余長収納トレイ５よりも手前側に突出するように形成することにより螺子１１の頭部を手で摘んで螺子１１を回すことができ、ドライバー等の工具を必要としない。
【００１２】
尚、螺子の頭部にすりわりや十字孔を形成する等、螺子の頭部の形状について限定はない。
【００１３】
【発明の効果】
以上のように本発明に係る余長収納トレイ収納具は、光ファイバーの接続に使用する光成端箱の内部に配設され、上面を開口するとともに少なくとも一側面に光ファイバーを入出線するための入出線口を形成し、内部に光ファイバーの融着部を余長とともに収納する余長収納トレイを多段に収納する余長収納トレイ収納具において、余長収納トレイを水平姿勢に多段に収納する収納溝を複数形成し、収納溝の近傍に形成した余長収納トレイを固定するための固定部に螺子が螺着するタップ孔を穿設し、固定部と対向する余長収納トレイのトレイ側固定部に螺子が挿通する挿通孔を穿設し、螺子は先端側と頭部側の両端部にねじ部を形成するとともに円筒部の外径はタップ孔の内径よりも小さく形成し、螺子の先端側のねじ部をトレイ側固定部の挿通孔と固定部のタップ孔に挿通させた際は余長収納トレイをスライド自在にし、螺子の頭部側のねじ部をトレイ側固定部の挿通孔に挿通させて固定部のタップ孔に螺着した際は余長収納トレイを固定可能にしたことにより、簡単な構造で余長収納トレイをスライド自在に収納することができ、且つ安価に製造できるという優れた効果がある。
【図面の簡単な説明】
【図１】本発明に係る光成端箱を示す正面図である。
【図２】本発明に係る余長収納トレイ収納具を示す斜視図である。
【図３】本発明に係る余長収納トレイ収納具を示す分解斜視図である。
【図４】本発明に係る余長収納トレイを示す斜視図である。
【図５】本発明に係る余長収納トレイ収納具を示す横断面図である。
【符号の説明】
１      光成端箱
４      余長収納トレイ収納具
５      余長収納トレイ
７      背面板
８      側面板
９      収納溝
１０    固定部
１１    螺子
１２    タップ孔
１５    蓋体
１６    透孔
１７    ラッチ
１８    係合孔
１９    蓋受け片
２０    取付ねじ
２１    トレイ側固定部
２２    挿通孔
２３    先端側のねじ部
２４    頭部側のねじ部
２５    円筒部
２６    切欠
【図１】
0004093442.tif 000002
【図２】
0004093442.tif 000003
【図３】
0004093442.tif 000004
【図４】
0004093442.tif 000005
【図５】
0004093442.tif 000006